(57)【要約】【課題】  光軸のズレを少なくできて、精度の良い取付ができるレンズの取付構造を提供する。【解決手段】  本発明のレンズの取付構造は、筒状部２を有する保持部材１と、筒状部２内の前方部に取り付けられた光学レンズ部材４と、筒状部４内で、光学レンズ部材４の後方部に取り付けられた光学レンズ７とを備え、光学レンズ７の突出部７ｂの端部が光学レンズ部材４の張出部６ｂに設けられた切り欠き部６ｅに嵌合して、光学レンズ部材４と光学レンズ７の光軸を一致させたため、従来の筒状部内で光学レンズ部材が位置決めされるものに比して、光学レンズ７と光学レンズ部材４との間のバラツキが小さく、従って、光学レンズ７と光学レンズ部材４の光軸Ｇのズレを少なくできて、精度の良いレンズの取付ができる。【選択図】        図１
2006126673.tif 000002
【特許請求の範囲】
【請求項１】
筒状部を有する保持部材と、前記筒状部内の前方部に取り付けられた光学レンズ部材と、前記筒状部内で、前記光学レンズ部材の後方部に取り付けられた光学レンズとを備え、前記光学レンズ部材は、レンズ部と、このレンズ部から横方向に突出する張出部と、この張出部の後部に設けられた切り欠き部を有すると共に、前記光学レンズは、レンズ部と、このレンズ部から横方向に突出する突出部を有し、前記光学レンズの前記突出部の端部が前記光学レンズ部材の前記張出部に設けられた前記切り欠き部に嵌合して、前記光学レンズ部材と前記光学レンズの光軸を一致させたことを特徴とするレンズの取付構造。
【請求項２】
前記保持部材には、前記筒状部の前方部に位置する前方開放部側に突出するフランジ部を設けると共に、前記保持部材の後方部には、前記筒状部の後方部に位置した後方開放部を有し、前記光学レンズ部材の前方部が前記フランジ部に係止されると共に、前記光学レンズの後方部が前記後方開放部に配置された支持部材によって支持されたことを特徴とする請求項１記載のレンズの取付構造。
【請求項３】
前記支持部材は、光絞り用の絞り板で形成されたことを特徴とする請求項２記載のレンズの取付構造。
【請求項４】
前記光学レンズ部材は、第１，第２の光学レンズ部を有し、前記第１、第２の光学レンズ部のそれぞれには、前記レンズ部と、このレンズ部から横方向に突出する張出部と、この張出部の後部に設けられた切り欠き部を有し、前記第１の光学レンズ部は、前記筒状部の前方部に配置されて、前記第１の光学レンズ部の前記切り欠き部には、前記第１の光学レンズ部の後方部に位置する前記第２の光学レンズ部の前記張出部が係合し、前記第２の光学レンズ部の前記切り欠き部には、前記光学レンズの前記突出が係合して、前記第１，第２の光学レンズ部と前記光学レンズの光軸を一致させたことを特徴とする請求項１〜３の何れかにレンズの取付構造。
【請求項５】
前記第２の光学レンズ部の前記張出部には、前記第１の光学レンズ部の前記切り欠き部内に係止し、前方側に突出する第１の突条部と、前記光学レンズの前記突出部を内部に位置させて係止し、後方側に突出する第２の突条部を有したことを特徴とする請求項４記載のレンズの取付構造。
【請求項６】
前記切り欠き部が環状に形成されたことを特徴とする請求項１〜５の何れかにレンズの取付構造。
【請求項７】
前記光学レンズ部材が樹脂で形成されると共に、前記光学レンズがガラスで形成されたことを特徴とする請求項１〜６の何れかにレンズの取付構造。
【発明の詳細な説明】
【技術分野】
【０００１】
本発明は携帯電話機等のカメラモジュール等に使用して好適なレンズの取付構造に関する。
【背景技術】
【０００２】
図２は従来のレンズの取付構造に係る要部縦断面図であり、従来のレンズの取付構造の構成を図２に基づいて説明すると、保持部材５１は、筒状部５２と、この筒状部５２の後方部に設けられ、底面上に傾斜状突部５３ａが設けられた底板部５３と、筒状部５２の前方部に取り付けられたレンズ押さえ部５４を有する。
【０００３】
全体が円形状をなした第１の光学レンズ部材５５は、レンズ部５５ａと、このレンズ部５５ａから横方向に突出した張出部５５ｂと、この張出部５５ｂの後方部（下面）に設けられた傾斜状突部５５ｃと、張出部５５ｂの前方部（上面）に設けられた傾斜状突部５５ｄを有する。
【０００４】
そして、この第１の光学レンズ部材５５は、筒状部５２内に挿入されて、張出部５５ｂの外周部が筒状部５２の内壁で位置決めされると共に、後方部に位置する傾斜状突部５５ｃが底板５３上の傾斜状突部５３ａ上に当接した状態となって、第１の光学レンズ部材５５が筒状部５２の内壁をガイドにして回転されることによって、底板５３からのレンズ部５５ａの高さを調整するようになっている。
【０００５】
光吸収体であるリング５６がレンズ部５５ａを囲むようにレンズ部５５ａ上にに配置されると共に、このリング５６上に位置する全体が円形状をなした第２の光学レンズ部材５７は、レンズ部５７ａと、このレンズ部５７ａから横方向に突出した張出部５７ｂと、この張出部５７ｂの後方部（下面）に設けられた傾斜状突部５７ｃを有する。
【０００６】
そして、この第２の光学レンズ部材５７は、筒状部５２内に挿入されて、張出部５７ｂの外周部が筒状部５２の内壁で位置決めされると共に、後方部に位置する傾斜状突部５７ｃが第１の光学レンズ部材５５の傾斜状突部５５ｄ上に当接した状態となって、第２の光学レンズ部材５７が筒状部５２の内壁をガイドにして回転されることによって、レンズ部５７ａとレンズ部５５ａとの間の距離を調整するようになって、従来のレンズの取付構造が形成されている。（例えば、特許文献１参照）
【０００７】
しかし、従来のレンズの取付構造は、第１，第２の光学レンズ部材５５，５７の張出部５５ｂ、５７の外周部が筒状部５２に挿入された状態で、内壁で位置決めされるため、第１，第２の光学レンズ部材５５，５７と筒状部５２の内壁間の加工等によるバラツキが大きく、従って、第１，第２の光学レンズ部材５５，５７の光軸Ｇのズレが大きくなる。
【０００８】
【特許文献１】特開２００２−９８８７８号公報
【発明の開示】
【発明が解決しようとする課題】
【０００９】
従来のレンズの取付構造は、第１，第２の光学レンズ部材５５，５７の張出部５５ｂ、５７の外周部が筒状部５２に挿入された状態で、内壁で位置決めされるため、第１，第２の光学レンズ部材５５，５７と筒状部５２の内壁間の加工等によるバラツキが大きく、従って、第１，第２の光学レンズ部材５５，５７の光軸Ｇのズレが大きくなるという問題がある。
【００１０】
そこで、本発明は光軸のズレを少なくできて、精度の良い取付ができるレンズの取付構造を提供することを目的とする。
【課題を解決するための手段】
【００１１】
上記課題を解決するための第１の解決手段として、筒状部を有する保持部材と、前記筒状部内の前方部に取り付けられた光学レンズ部材と、前記筒状部内で、前記光学レンズ部材の後方部に取り付けられた光学レンズとを備え、前記光学レンズ部材は、レンズ部と、このレンズ部から横方向に突出する張出部と、この張出部の後部に設けられた切り欠き部を有すると共に、前記光学レンズは、レンズ部と、このレンズ部から横方向に突出する突出部を有し、前記光学レンズの前記突出部の端部が前記光学レンズ部材の前記張出部に設けられた前記切り欠き部に嵌合して、前記光学レンズ部材と前記光学レンズの光軸を一致させた構成とした。
【００１２】
また、第２の解決手段として、前記保持部材には、前記筒状部の前方部に位置する前方開放部側に突出するフランジ部を設けると共に、前記保持部材の後方部には、前記筒状部の後方部に位置した後方開放部を有し、前記光学レンズ部材の前方部が前記フランジ部に係止されると共に、前記光学レンズの後方部が前記後方開放部に配置された支持部材によって支持された構成とした。
また、第３の解決手段として、前記支持部材は、光絞り用の絞り板で形成された構成した。
【００１３】
また、第４の解決手段として、前記光学レンズ部材は、第１，第２の光学レンズ部を有し、前記第１、第２の光学レンズ部のそれぞれには、前記レンズ部と、このレンズ部から横方向に突出する張出部と、この張出部の後部に設けられた切り欠き部を有し、前記第１の光学レンズ部は、前記筒状部の前方部に配置されて、前記第１の光学レンズ部の前記切り欠き部には、前記第１の光学レンズ部の後方部に位置する前記第２の光学レンズ部の前記張出部が係合し、前記第２の光学レンズ部の前記切り欠き部には、前記光学レンズの前記突出が係合して、前記第１，第２の光学レンズ部と前記光学レンズの光軸を一致させた構成とした。
【００１４】
また、第５の解決手段として、前記第２の光学レンズ部の前記張出部には、前記第１の光学レンズ部の前記切り欠き部内に係止し、前方側に突出する第１の突条部と、前記光学レンズの前記突出部を内部に位置させて係止し、後方側に突出する第２の突条部を有した構成とした。
また、第６の解決手段として、前記切り欠き部が環状に形成された構成とした。  また、第７の解決手段として、前記光学レンズ部材が樹脂で形成されると共に、前記光学レンズがガラスで形成された構成とした。
【発明の効果】
【００１５】
本発明のレンズの取付構造は、筒状部を有する保持部材と、筒状部内の前方部に取り付けられた光学レンズ部材と、筒状部内で、光学レンズ部材の後方部に取り付けられた光学レンズとを備え、光学レンズ部材は、レンズ部と、このレンズ部から横方向に突出する張出部と、この張出部の後部に設けられた切り欠き部を有すると共に、光学レンズは、レンズ部と、このレンズ部から横方向に突出する突出部を有し、光学レンズの突出部の端部が光学レンズ部材の張出部に設けられた切り欠き部に嵌合して、光学レンズ部材と光学レンズの光軸を一致させた構成とした。
即ち、光学レンズの突出部の端部が光学レンズ部材の張出部に設けられた切り欠き部に嵌合して、光学レンズ部材と光学レンズの光軸を一致させたため、従来の筒状部内で光学レンズ部材が位置決めされるものに比して、光学レンズと光学レンズ部材との間のバラツキが小さく、従って、光学レンズと光学レンズ部材の光軸のズレを少なくできて、精度の良いレンズの取付ができる。
【００１６】
また、保持部材には、筒状部の前方部に位置する前方開放部側に突出するフランジ部を設けると共に、保持部材の後方部には、筒状部の後方部に位置した後方開放部を有し、光学レンズ部材の前方部がフランジ部に係止されると共に、光学レンズの後方部が後方開放部に配置された支持部材によって支持されたため、光学レンズ部材と光学レンズの取付が簡単で、組立性の良好なものが得られる。
【００１７】
また、支持部材は、光絞り用の絞り板で形成されたため、支持部材が絞り板を兼ね、構成の簡単なものが得られる。
【００１８】
また、光学レンズ部材は、第１，第２の光学レンズ部を有し、第１、第２の光学レンズ部のそれぞれには、レンズ部と、このレンズ部から横方向に突出する張出部と、この張出部の後部に設けられた切り欠き部を有し、第１の光学レンズ部は、筒状部の前方部に配置されて、第１の光学レンズ部の切り欠き部には、第１の光学レンズ部の後方部に位置する第２の光学レンズ部の張出部が係合し、第２の光学レンズ部の切り欠き部には、光学レンズの突出が係合して、第１，第２の光学レンズ部と光学レンズの光軸を一致させたため、第１，第２の光学レンズ部と光学レンズの光軸のズレを少なくできて、精度の良いレンズの取付ができると共に、第１，第２の光学レンズ部と光学レンズは、積み重ね方式で組立できて、組立性の良好なものが得られる。
【００１９】
また、第２の光学レンズ部の張出部には、第１の光学レンズ部の切り欠き部内に係止し、前方側に突出する第１の突条部と、光学レンズの突出部を内部に位置させて係止し、後方側に突出する第２の突条部を有したため、第１，第２の光学レンズ部と光学レンズの組立性の良好なものが得られる。
【００２０】
また、切り欠き部が環状に形成されたため、切り欠き部内への突出部、張出部、及び第１の突条部の方向性が自由となって、組立性の良好なものが得られる。
【００２１】
また、光学レンズ部材が樹脂で形成されると共に、光学レンズがガラスで形成されたため、複雑な構成を有する光学レンズ部材の成形加工によって容易に製造できて、安価なものが得られる。
【発明を実施するための最良の形態】
【００２２】
本発明のレンズの取付構造の図面を説明すると、図１は本発明のレンズの取付構造に係る要部断面図であり、次に、本発明のレンズの取付構造の構成を図１に基づいて説明すると、合成樹脂の成型品等からなる保持部材（鏡筒）１は、円筒状の筒状部２と、筒状部２の中心部に設けられた孔２ａと、この筒状部２の前方部に設けられた前方開放部２ｂと、筒状部２の後方部に設けられた後方開放部２ｃと、前方開放部２ａ側に突出した状態で、筒状部２の端部に設けられた孔３ａを有するフランジ部３とで構成されている。
【００２３】
透明な樹脂の成形加工によって製造された光学レンズ部材４は、全体が円形状をなした前方部側に配置される第１の光学レンズ部５と、この第１の光学レンズ部５の後方部に配置され、全体が円形状をなした第２の光学レンズ部６とで構成されている。
【００２４】
また、第１の光学レンズ部５は、円形のレンズ部５ａと、レンズ部５ａの全外周部から横方向に突出する張出部５ｂと、この張出部５ｂの後部に設けられた円環状の切り欠き部５ｃと、張出部５ｂの前部の端部に設けられたリング状の突起５ｄを有する。
【００２５】
更に、第２の光学レンズ部６は、円形のレンズ部６ａと、レンズ部６ａの全外周部から横方向に突出する張出部６ｂと、この張出部６ｂの前部から前方側に突出して設けられ、張出部６ｂの一部を構成するリング状の第１の突条部６ｃと、張出部６ｂの後部から後方側に突出して設けられ、張出部６ｂの一部を構成するリング状の第２の突条部６ｄと、この第２の突条部６ｄの後部に設けられた円環状の切り欠き部６ｅを有する。
【００２６】
そして、光学レンズ部材４は、先ず、第１の光学レンズ部５が筒状部２内に挿入されて、第１のレンズ部５の突起５ｄがフランジ部３に係止され、この時、レンズ部５ａがフランジ部３の孔３ａに対向した状態となる。
次に、第２のレンズ部６が筒状部２内に挿入されて、第２のレンズ部６の第１の突条部６ｃが第１のレンズ部５の切り欠き部５ｃに嵌合して、第１，第２のレンズ部５，６の光軸Ｇが一致した状態となる。
【００２７】
全体が円形状をなしたガラスからなる光学レンズ７は、円形のレンズ部７ａと、レンズ部７ａの全外周部から横方向に突出する板状の突出部７ｂを有し、この光学レンズ７は、第２の光学レンズ部６の後方部に位置した状態で、筒状部２内に挿入されて、突出部７ｂの端部が第２のレンズ部６の切り欠き部６ｅに嵌合して、第１，第２のレンズ部５，６と光学レンズ７の光軸Ｇが一致した状態となる。
【００２８】
光絞り用の絞り板からなる支持部材８は、板状部８ａと、この板状部８ａの中央部に設けられた階段状の円形の孔８ｂを有し、この支持部材８は、筒状部２の後方開放部２ｃを塞ぐように筒状部２に取り付けられて、支持部材８とフランジ部３とによって、第１，第２のレンズ部５，６と光学レンズ７を挟持しており、このような構成によって、本発明のレンズの取付構造が形成されている。
【００２９】
なお、上記実施例では、光学レンズ部材４が第１，第２のレンズ部５，６の２部品で形成されたもので説明したが、第１，第２のレンズ部５，６の何れか一方のみでも良い。
【図面の簡単な説明】
【００３０】
【図１】本発明のレンズの取付構造に係る要部断面図。
【図２】従来のレンズの取付構造に係る要部断面図。
【符号の説明】
【００３１】
１：保持部材
２：筒状部
２ａ：孔
２ｂ：前方開放部
２ｃ：後方開放部
３：フランジ部
３ａ：孔
４：光学レンズ部材
５：第１の光学レンズ部
５ａ：レンズ部
５ｂ：張出部
５ｃ：切り欠き部
５ｄ：突起
６：第２の光学レンズ部
６ａ：レンズ部
６ｂ：張出部
６ｃ：第１の突条部
６ｄ：第２の突条部
６ｅ：切り欠き部
７：光学レンズ
７ａ：レンズ部
７ｂ：突出部
８：支持部材
８ａ：板状部
８ｂ：孔
Ｇ：光軸
【図１】
2006126673.tif 000003
【図２】
2006126673.tif 000004